(57)【特許請求の範囲】
【請求項１】
災害発生時に安否確認情報を提供するためのコンピュータシステムであって、前記コンピュータシステムは、第１の携帯端末および第２の携帯端末と、地震速報配信サーバとに接続され、前記第１の携帯端末および前記第２の携帯端末は、予め定義されたグループに属し、
前記第１の携帯端末から、周期的に第１の位置情報を受信する第１の位置情報受信部と、
前記第２の携帯端末から、周期的に第２の位置情報を受信する第２の位置情報受信部と、
前記第１の携帯端末および前記第２の携帯端末に、周期的に前記第１の位置情報および前記第２の位置情報を送信する位置情報送信部であって、前記送信した第１の位置情報および第２の位置情報は、前記第１の携帯端末および前記第２の携帯端末において記憶される、位置情報送信部と、
前記地震速報配信サーバから、災害情報を受信する災害情報受信部と、
前記受信した災害情報に応答して、前記受信した災害情報に含まれる災害位置情報と前記受信した第１の位置情報とを比較して、前記第１の携帯端末が、前記災害位置情報が示すエリア内に存在するかを判定する端末位置確認部と、
前記端末位置確認部が、前記第１の携帯端末が前記エリア内に存在すると判定した場合、前記第１の携帯端末および前記第２の携帯端末に、前記受信した災害情報を送信する災害情報送信部であって、前記第１の携帯端末および前記第２の携帯端末において記憶された前記第１の位置情報および前記第２の位置情報は、前記送信した災害情報に応答して、前記第１の携帯端末および前記第２の携帯端末の表示部に表示される、災害情報送信部と
を備えたことを特徴とするコンピュータシステム。
【請求項２】
前記第１の携帯端末および前記第２の携帯端末のグループ識別子および端末識別子を含むメンバー情報を記憶したメンバー情報記憶部と、
前記端末位置確認部が前記第１の携帯端末が被災地として指定されたエリアに存在すると判定した場合、前記メンバー情報記憶部を検索して、前記第１の携帯端末と同一のグループ識別子に関連付けられた前記第２の携帯端末のグループ識別子および端末識別子を特定するグループ端末特定部と
をさらに備えたことを特徴とする請求項１に記載のコンピュータシステム。
【請求項３】
前記第１の携帯端末および前記第２の携帯端末から、周期的に、前記第１の携帯端末および前記第２の携帯端末のグループ識別子を含むグループ情報を受信するグループ情報受信部と、
前記第１の携帯端末および前記第２の携帯端末から、周期的に、前記第１の携帯端末および前記第２の携帯端末の端末識別子を含むメンバー情報を受信するメンバー情報受信部と
をさらに備えたことを特徴とする請求項２に記載のコンピュータシステム。
【請求項４】
前記第１の携帯端末から安否確認メッセージを受信する安否確認メッセージ受信部と、
前記受信した安否確認メッセージに応答して、前記受信した安否確認メッセージに、前記受信した第１の位置情報および前記受信した第２の位置情報を含めて、前記第１の携帯端末および前記第２の携帯端末に送信する安否確認メッセージ送信部と
をさらに備えることを特徴とする請求項２乃至３のいずれか一項に記載のコンピュータシステム。
【請求項５】
前記安否確認メッセージは、前記第１の携帯端末の利用者がこれから予定している行動、および、前記利用者の状態を示すメッセージを含むことを特徴とする請求項４に記載のコンピュータシステム。
【請求項６】
前記メンバー情報記憶部は、前記第１の携帯端末および前記第２の携帯端末の位置通知可否を示すフラグをさらに記憶し、
前記安否確認メッセージ送信部は、前記フラグが位置通知可の場合に、前記受信した安否確認メッセージに、前記フラグに対応する前記第１の携帯端末または前記第２の携帯端末の位置情報を含める
ことを特徴とする請求項４に記載のコンピュータシステム。
【請求項７】
災害発生時に安否確認情報を提供するための方法をコンピュータに実行させるプログラムであって、前記コンピュータは第１の携帯端末および第２の携帯端末、と地震速報配信サーバとに接続され、前記第１の携帯端末および前記第２の携帯端末は、予め定義されたグループに属し、前記第１の携帯端末および前記第２の携帯端末のグループ識別子および端末識別子を含むメンバー情報を記憶したメンバー情報記憶部を備え、前記方法は、
前記第１の携帯端末から、周期的に第１の位置情報を受信するステップと、
前記第２の携帯端末から、周期的に第２の位置情報を受信するステップと、
前記地震速報配信サーバから、災害情報を受信するステップと、
前記受信した災害情報に応答して、前記受信した災害情報に含まれる災害位置情報と前記受信した第１の位置情報とを比較して、前記第１の携帯端末が、前記災害位置情報が示すエリア内に存在するかを判定するステップと、
前記第１の携帯端末が前記エリア内に存在すると判定した場合、
前記メンバー情報記憶部を検索して、前記第１の携帯端末と同一のグループ識別子に関連付けられた前記第２の携帯端末のグループ識別子および端末識別子を特定するステップと、
前記受信した災害情報に加えて、前記受信した第１の位置情報および前記受信した第２の位置情報を、前記第１の携帯端末および前記第２の携帯端末に送信するステップと
を備えたことを特徴とするプログラム。
【請求項８】
前記メンバー情報記憶部は、前記第１の携帯端末および前記第２の携帯端末の位置通知可否を示すフラグをさらに記憶し、
前記第１の携帯端末から安否確認メッセージを受信するステップと、
前記受信した安否確認メッセージに応答して、前記安否確認メッセージに、前記受信した第１の位置情報または前記受信した第２の位置情報を含めて、前記第１の携帯端末または前記第２の携帯端末に転送するステップであって、前記フラグが位置通知可の場合に、前記フラグに対応する前記第１の携帯端末または前記第２の携帯端末の位置情報が前記安否確認メッセージに含められる、ステップと
をさらに備えたことを特徴とする請求項７に記載のプログラム。
【発明の詳細な説明】
【技術分野】
【０００１】
本発明は、安否確認システムに関する。特に、本発明は、高度利用者向けの緊急地震速報 （予報）が発表された際に、予め登録されたグループ内で、グループ内の全携帯端末の最新の位置情報を共有する安否確認システムに関する。
【背景技術】
【０００２】
地震および津波等の大規模災害が発生した際には、家族や友人等の安否を互いに確認し合うことは極めて重要である。携帯電話の普及にも伴って、近年では携帯電話端末を使用した安否確認システムが提案されている。
【０００３】
特許文献１では、災害発生時の利用者の安否状態を把握する安否確認システムが開示されている。当該安否確認システムでは、携帯端末は、災害情報配信装置から災害情報を受信したときに、センタ装置に災害受信信号を送信する。センタ装置は、携帯端末から災害受信信号を受信したときに、携帯端末の現在位置情報に基づいて当該携帯端末の移動の有無を確認し、当該携帯端末の移動が確認できない場合には、当該携帯端末の利用者が非常状態であると判定する。
【０００４】
特許文献２では、災害が発生したときに、利用者の安否情報をグループで共有する災害情報共有システムが開示されている。当該災害情報共有システムでは、災害が発生したときに、災害情報管理サーバは、予め登録された携帯端末に災害発生エリアを含む災害情報を配信する。携帯端末は、災害情報管理サーバから災害情報を受信すると、ＧＰＳ機能を利用して携帯端末の現在位置を示す端末位置情報を作成し、災害情報および端末位置情報から所定の基準によって利用者の安否状況を判別して携帯端末の利用者の安否状況を示す安否情報を作成し、安否情報および端末位置情報を共有する携帯端末のグループを示す情報共有グループに属する携帯端末に安否情報および端末位置情報を通知する。
【０００５】
特許文献３では、安否確認と合わせて携帯端末の利用者の帰宅行動を支援する安否確認システムが開示されている。当該安否確認システムでは、携帯端末は災害速報を受信したときに現在位置情報を自動的に取得し、現在位置情報をセンタ装置に自動的に送信する。センタ装置は携帯端末から送信された現在位置情報と予め登録された目的地情報とを地図サーバに転送し、地図サーバは、現在位置情報および目的地情報に基づいて現在位置から目的地までの帰宅経路を算出して、利用者の帰路を誘導する。
【先行技術文献】
【特許文献】
【０００６】
【特許文献１】特開２０１０−０８７６８３号公報
【特許文献２】特開２０１０−２６３５６２号公報
【特許文献３】特開２０１２−２４８９６３号公報
【発明の概要】
【発明が解決しようとする課題】
【０００７】
ところで、大規模災害が発生した直後は、被災地を中心とした一定範囲において通信インフラが機能しなくなることが多い。上述したような事態が発生すると、上記一定範囲内に存在する家族や友人等との通信手段が途絶え、安否確認ができなくなることに加えて、上記一定範囲内に存在する家族や友人等の位置情報を取得することができず、現在どこにいるかを把握することができなくなる。
【０００８】
特許文献１では、災害発生時に携帯端末の位置情報がセンタ装置に送信される。また、特許文献２では、災害情報管理サーバから災害情報を受信すると、携帯端末が端末位置情報を作成する。さらに、特許文献３では、携帯端末は災害速報を受信したときに現在位置情報に取得する。このように、特許文献１乃至３に記載のいずれの発明においても、災害が発生してから、初めて携帯端末の位置情報を取得するので、取得する間、時間が経過してしまい、上述したような災害発生によって通信インフラが機能していない状況に至り、携帯端末の最新の位置情報を取得することができない。また、災害発生時に携帯端末の電源が切れていたり、電波の届かないエリアに位置にいたら、位置情報を全く取得できない。
【０００９】
本発明は、このような問題に鑑みてなされたものであり、安否確認や災害予報とあわせて、携帯端末利用者のグループに所属する全携帯端末の災害発生時直近の位置情報を共有することで、家族や友人等の位置を把握して、安否確認をすることが可能な安否確認システムを提供することを目的とする。
【課題を解決するための手段】
【００１０】
上記の課題を解決するために、本発明に係る安否確認システムは、災害発生時に安否確認情報を提供するためのコンピュータシステムであって、前記コンピュータシステムは、第１の携帯端末および第２の携帯端末と、地震速報配信サーバとに接続され、前記第１の携帯端末および前記第２の携帯端末は、予め定義されたグループに属し、前記第１の携帯端末から、周期的に第１の位置情報を受信する第１の位置情報受信部と、前記第２の携帯端末から、周期的に第２の位置情報を受信する第２の位置情報受信部と、前記第１の携帯端末および前記第２の携帯端末に、周期的に前記第１の位置情報および前記第２の位置情報を送信する位置情報送信部であって、前記送信した第１の位置情報および第２の位置情報は、前記第１の携帯端末および前記第２の携帯端末において記憶される、位置情報送信部と、前記地震速報配信サーバから、災害情報を受信する災害情報受信部と、前記受信した災害情報に応答して、前記受信した災害情報に含まれる災害位置情報と前記受信した第１の位置情報とを比較して、前記第１の携帯端末が、前記災害位置情報が示すエリア内に存在するかを判定する端末位置確認部と、前記端末位置確認部が、前記第１の携帯端末が前記エリア内に存在すると判定した場合、前記第１の携帯端末および前記第２の携帯端末に、前記受信した災害情報を送信する災害情報送信部であって、前記第１の携帯端末および前記第２の携帯端末において記憶された前記第１の位置情報および前記第２の位置情報は、前記送信した災害情報に応答して、前記第１の携帯端末および前記第２の携帯端末の表示部に表示される、災害情報送信部とを備えたことを特徴とする。
【発明の効果】
【００１１】
本発明に係る家族向け安否確認システムによれば、携帯端末利用者によって予め登録されたグループメンバーの定期的に更新された現在位置情報が携帯端末内部に格納されており、大規模災害が発生する前に、災害予報および安否確認をグループメンバーに送信したときに、携帯端末内部に記憶されたグループメンバーの位置情報を画面に表示することによって、当該グループメンバーの現在位置を把握することができる。
【図面の簡単な説明】
【００１２】
【図１】本発明の一実施形態に係る、安否確認システム１００の構成の例を示すブロック図である。
【図２】本発明の一実施形態に係る、携帯端末１０１ａの構成の例を示すブロック図である。
【図３】本発明の一実施形態に係る、センタ装置１０７の構成の例を示すブロック図である。
【図４】本発明の一実施形態に係る、グループデータ記憶部４００ａ、メンバーデータ記憶部４００ｂ、および、携帯端末データ記憶部４００ｃの例を示す図である。
【図５】本発明の一実施形態に係る、携帯端末内メンバー位置データ記憶部５００の例を示す図である。
【図６】本発明の一実施形態に係る、安否確認システム１００が実行する一連の処理を示すフローチャートである。
【図７】本発明の一実施形態に係る、安否確認システム１００が実行する一連の処理を時系列に示す図である。
【図８】本発明の別の実施形態に係る、安否確認システム１００が実行する一連の処理を示すフローチャートである。
【図９】本発明の一実施形態に係わる、安否確認メッセージを送信した際に、送信者やメンバーに受信される電子メールの例を示す図である。
【図１０】本発明の一実施形態に係わる、災害情報を受信した携帯端末にメンバー位置と災害情報が表示された画面の例を示す図である。
【発明を実施するための形態】
【００１３】
以下、添付した図面を参照して、本発明の実施形態に係る安否確認システムを詳細に説明する。
【００１４】
図１は、本発明の一実施形態に係る、安否確認システム１００の構成の例を示すブロック図である。
【００１５】
図１に示すように、本実施形態に係る安否確認システム１００は、利用者が所持する携帯端末１０１ａ乃至１０１ｃおよび１０２ａ、高度緊急地震速報配信サーバ１０３、高度緊急地震速報受信解析装置１０５、センタ装置１０７、ＰＣ１０９、基地局１１１、ならびに、ＧＰＳ１１２を備える。高度緊急地震速報配信サーバ１０３と高度緊急地震速報受信解析装置１０５とは、専用線等のネットワーク１０４を介して接続され、高度緊急地震速報受信解析装置１０５とセンタ装置１０７とは、データセンター１０６に収納され、および、接続されている。また、センタ装置１０７、ＰＣ１０９および基地局１１１間は、インターネット等のネットワーク１０８と、公衆通信回線（公衆電話網）等のネットワーク１１０とを介して接続されている。
【００１６】
携帯端末１０１ａ乃至１０１ｃおよび１０２ａは、無線通信機能、および、ＧＰＳ１１２からＧＰＳ信号（経度・緯度情報）を受信して現在位置情報を算出する機能を有する通信端末であり、携帯電話、スマートフォン、ＰＤＡ、パソコン、ナビゲーション、またはタブレット型コンピュータ等の装置であってもよい。携帯端末１０１ａ乃至１０１ｃおよび１０２ａは、予め定義された送信間隔毎に、グループＩＤおよびグループパスワード等を含むグループ情報、携帯端末ＩＤ（または電話番号等の端末識別子）、メンバー氏名、電子メールアドレス、位置情報定期送信間隔（分）、および、他のメンバーが安否確認情報を配信した場合に自分の位置情報を通知することの可否設定（位置通知可否）等を含むグループ情報、ならびに、ＧＰＳ１１２から受信した現在位置情報を、基地局１１１を介してセンタ装置１０７に送信する。定期送信が開始されると、センタ装置１０７は、グループＩＤおよびグループパスワードが、予め登録されている情報と一致するかの判定を自動で行う。一致した場合は、該当のグループメンバーとして携帯端末１０１ａ乃至１０１ｃおよび１０２ａの設定情報および現在位置情報が、データベース１０７ａに登録または更新される。一致しなかった場合は、不一致を示す信号を携帯端末１０１ａ乃至１０１ｃおよび１０２ａに返信し、データベース１０７ａに登録および更新を行わない。不一致を示す信号を受信した携帯端末１０１ａ乃至１０１ｃおよび１０２ａは、エラー表示がされ、グループＩＤもしくはグループパスワードの入力が正確でない事が通知される。
【００１７】
携帯端末１０１ａ乃至１０１ｃはグループＡ（１０１）に属し、携帯端末１０２ａはグループＢ（１０２）に属する。グループＡおよびＢは、それぞれ、携帯端末の利用者が災害発生時に災害情報を共有するために、携帯端末のメンバーが属する予め定義されたグループである。携帯端末１０１ａ乃至１０１ｃは、同一のグループ情報（共通のグループＩＤおよびグループパスワード）をセンタ装置１０７のデータベース１０７ａに登録することによって、当該情報を共有する。また、上記グループ情報は携帯端末１０１ａ乃至１０１ｃにそれぞれ設定されている。携帯端末１０２ａは、携帯端末１０１ａ乃至１０１ｃとは別のグループ情報（共通のグループＩＤおよびグループパスワード）を設定している。
【００１８】
高度緊急地震速報配信サーバ１０３は、気象業務支援センタに設置され、災害発生時に高度利用者向けの緊急地震速報（予報）（以下、「地震速報」）を配信する。
【００１９】
高度緊急地震速報受信解析装置１０５は、本発明に係る安否確認システムのサービスを提供する事業者によって管理されるコンピュータシステムであり、データセンター１０６に設置されている。高度緊急地震速報受信解析装置１０５は、高度緊急地震速報配信サーバ１０３から地震速報を受信すると、震源地、規模（マグニチュード）、到達時間、および、震源地から所定の範囲内を被災地として特定したエリア（災害エリア）を解析し、解析した地震速報解析情報をセンタ装置１０７に送信する。
【００２０】
センタ装置１０７も、本発明に係る安否確認システムのサービスを提供する事業者によって管理されるコンピュータシステムであり、上述した地震速報解析情報およびまたは安否確認情報を受信すると、携帯端末１０１ａ乃至１０１ｃおよび１０２ａに上述した地震速報解析情報または安否確認情報を送信し、予め携帯端末１０１ａ乃至１０１ｃおよび１０２ａに記録された同一のグループに属するメンバーの位置情報を表示させる機能、ならびに、電子メールを編集および作成してグループメンバーに送信する機能を有する。センタ装置１０７は、利用者の携帯端末のグループ情報、メンバー情報および位置情報を管理する。センタ装置１０７は、予めグループＡ等のグループＩＤおよびグループパスワード等を含むグループ情報、ならびに、各グループに属する利用者の携帯端末の携帯端末ＩＤ（または電話番号等の端末識別子）およびメールアドレス等を含むメンバー情報を、データベース１０７ａに登録している。加えて、センタ装置１０７は、各グループに属するメンバーの携帯端末から定期的に現在位置情報、グループ情報およびメンバー情報を受信し、当該受信した情報に基づいて、データベース１０７ａに格納されたデータを更新および、携帯端末１０１ａ乃至１０１ｃおよび１０２ａに同一のグループに属されたメンバーの位置情報を送信している。携帯端末１０１ａ乃至１０１ｃおよび１０２ａは、センタ装置１０７から送信された同一のグループに属されたメンバーの位置情報を記憶している。なお、本実施形態では、高度緊急地震速報受信解析装置１０５およびセンタ装置１０７は、別のコンピュータシステムとして示されているが、このような構成に限定されず、同一のコンピュータシステムで実装されてもよい。
【００２１】
ＰＣ１０９は、グループ管理者が、センタ装置１０７のデータベース１０７ａにアクセスして、グループ情報の登録、更新、利用停止および利用開始等の設定を行うために使用されるコンピュータである。このグループ情報の設定は、グループ管理パスワードを知るグループ管理者であれば携帯端末１０１ａ乃至１０１ｃおよび１０２ａからでも可能である（基地局１１１を介して）。
【００２２】
次に、図２のブロック図を参照して、上述した携帯端末１０１ａの構成の例を詳細に説明する。図２では、携帯端末１０１ａを例として示しているが、本発明に係る安否確認システム１００が備える携帯端末１０１ａ乃至１０１ｃおよび１０２ａのいずれもが、同一の構成を有していることに留意されたい。
【００２３】
携帯端末１０１ａは、中央処理装置（ＣＰＵ）、メモリおよび記憶装置等を備えた携帯端末であり、メモリまたは記憶装置に格納されたコンピュータプログラムをＣＰＵが処理することによって統括的に制御され、本発明に係る処理を実行し、および、その機能を実現してもよい。なお、図２で示す構成は、例示のためのものであり、本発明を実施することができる構成を限定するものではない。
【００２４】
図２に示すように、携帯端末１０１ａは、設定情報入力部２０１、位置情報・設定情報定期送信部２０３、携帯端末内メンバー位置情報定期受信部２０４、安否確認情報入力部、電子メール送受信部２０６、地震速報解析情報・安否確認情報受信部２０７、表示部２０８、主記憶部２０９、補助記憶部２１０、および、ネットワークＩ／Ｆ２１１を備えており、それらの要素がシステムバス２０２を介して互いに接続されている。
【００２５】
主記憶部２０９は、メインメモリとも呼ばれ、補助記憶部２１０に格納された各種プログラムが、主記憶部２０９に読み出されて、それらのプログラムが実行される。主記憶部２０９はまた、携帯端末１０１ａが受信した入力データ、コンピュータ実行可能な命令および当該命令による演算処理後のデータ等が記憶される。
【００２６】
補助記憶部２１０は、ハードディスク（ＨＤＤ）等に代表される記憶装置であり、データやプログラムを長期的に保存する際に使用される。主記憶部２０９は、補助記憶部２１０よりも記憶容量が相対的に小さいため、一時的なデータの記憶や演算処理等に使用されるのに対し、補助記憶部２１０は、必要なデータや情報の長期的な記憶および保存のために使用される。補助記憶部２１０は、初期設定プログラム２１０ａ、位置情報送信プログラム２１０ｂ、安否確認プログラム２１０ｃおよび携帯端末内メンバー位置情報取得プログラム２１０ｄを格納する。これらのプログラムは、携帯端末１０１ａの利用者が、サービス利用時にダウンロードしてインストールされる構成であってもよい。また、補助記憶部２１０は、携帯端末内メンバー位置記憶部２１０ｅを格納し、携帯端末内メンバー位置記憶部２１０ｅには、センタ装置１０７から定期的に送信された同一のグループに属するメンバーの位置情報を記憶した携帯端末内メンバー位置データ記憶部５００が格納される。携帯端末内メンバー位置データ記憶部５００の詳細は後述する。
【００２７】
ネットワークＩ／Ｆ２１１は、センタ装置１０７等の外部機器と通信するためのインタフェースであり、携帯端末１０１ａから送受信するデータは、ネットワークＩ／Ｆ２１１を通じて無線で通信される。
【００２８】
図２に示す各機能は、ＣＰＵが主記憶部２０９に記憶された対応する各プログラムの実効命令を読み出して実行することにより実現される。このプログラムは、補助記憶部２１０から主記憶部２０９に読み出される。
【００２９】
設定情報入力部２０１は、携帯端末１０１ａの利用者から設定情報の入力を受け付ける。受け付けた設定情報は主記憶部２０９または補助記憶部２１０に格納される。初期設定プログラム２１０ａは、グループＩＤおよびグループパスワード等のグループ情報、ならびに、電子メールアドレスおよびメンバー氏名等を含むメンバー情報の初期設定および設定変更を行う際に使用される。
【００３０】
位置情報・設定情報定期送信部２０３は、予め設定した間隔で、ＧＰＳ１１２、基地局１１１および無線ＬＡＮ等から現在位置情報（緯度・経度）を取得する。位置情報・設定情報定期送信部２０３はまた、予め設定した間隔で、上記取得した現在位置情報を、補助記憶部２１０に格納した設定情報とともにセンタ装置１０７に定期的に送信する。上述した現在位置情報の取得、ならびに、設定情報および現在位置情報のセンタ装置１０７への送信は、バックグランドで実行される。送信する位置情報および設定情報は、ＳＳＬ（Secure Socket Layer）送信されてもよい。
【００３１】
携帯端末内メンバー位置情報定期受信部２０４は、センタ装置１０７より定期的に送信されたメンバー情報および位置情報を受信し、当該情報を、補助記憶部２１０に記憶された携帯端末内メンバー位置情報取得プログラム２１０ｄにより、携帯端末内メンバー位置記憶部２１０ｅに記憶している。
【００３２】
安否確認情報入力部２０５は、携帯端末１０１ａの利用者から入力された安否確認情報の入力を受け付ける。ここで、安否確認情報とは、災害発生時に利用者自身が属するグループの他のメンバーに通知するための安否確認メッセージであり、詳細は後述する。安否確認情報入力部２０５はまた、上記受け付けた安否確認情報を即座に、上記取得した現在位置情報、および、補助記憶部２１０に格納した設定情報とともに、センタ装置１０７に送信する。送信する安否確認情報は、ＳＳＬ（Secure Socket Layer）送信されてもよい。
【００３３】
電子メール送受信部２０６は、センタ装置１０７から送信された電子メール等のメールを受信する。この電子メールの受信は、既知のメーラーで実装されてもよい。
【００３４】
地震速報解析情報・安否確認情報受信部２０７は、センタ装置１０７からプッシュ送信された地震速報解析情報・安否確認情報を受信する。
【００３５】
表示部２０８は、携帯端末１０１ａの利用者が、初期設定等を行う際に、入力情報を入力するための入力インタフェースを表示する。また、上述した地震速報解析情報・安否確認情報受信部２０７が、センタ装置１０７から地震速報解析情報・安否確認情報を受信すると、地震速報解析情報・安否確認情報と共に、携帯端末内メンバー位置記憶部２１０ｅに記憶されたメンバー情報および位置情報を表示する。
【００３６】
次に、図３のブロック図を参照して、上述したセンタ装置１０７の構成の例を詳細に説明する。センタ装置１０７は、ＣＰＵ、メモリ等を備えた通常のコンピュータであって、ネットワークに接続するための機能の他に、必要に応じてＬＣＤ等の表示装置、あるいはキーボードやマウス等の入力機器を備えるが、これらに限定されず本技術分野で知られたさまざまなハードウェアを内蔵し、あるいは接続することができる。また、上記コンピュータにはＯＳやさまざまなドライバーまたはアプリケーションがインストールされ、本実施形態で後述する種々の処理を全体として実行する。
【００３７】
図３に示すように、センタ装置１０７は、データベース１０７ａ、地震速報解析情報受信部３０１、グループ・メンバー・位置情報管理部３０３、安否確認情報受信部３０４、災害・位置情報転送部３０５、主記憶部３０６、補助記憶部３０７、および、ネットワークＩ／Ｆ３０８を備え、それらの要素がシステムバス３０２を介して互いに接続されている。
【００３８】
データベース１０７ａは、図４に示すグループデータ記憶部４００ａ、メンバーデータ記憶部４００ｂおよび携帯端末データ記憶部４００ｃ等のデータベーステーブルを備える。グループデータ記憶部４００ａ、メンバーデータ記憶部４００ｂおよび携帯端末データ記憶部４００ｃの詳細は後述する。
【００３９】
地震速報解析情報受信部３０１は、高度緊急地震速報受信解析装置１０５によって解析・送信された地震速報解析情報を受信する。
【００４０】
グループ・メンバー・位置情報管理部３０３は、携帯端末１０１ａ乃至１０１ｃおよび１０２ａから送信された、グループＩＤおよびグループパスワード等を含むグループ情報、携帯端末ＩＤ（または電話番号等の端末識別子）および電子メールアドレス等を含むメンバー情報、ならびに、現在位置情報を定期的に受信して、それらの情報をデータベース１０７ａのグループデータ記憶部４００ａ、メンバーデータ記憶部４００ｂおよび携帯端末データ記憶部４００ｃに登録・更新する。
【００４１】
安否確認情報受信部３０４は、携帯端末１０１ａ乃至１０１ｃおよび１０２ａから送信された安否確認情報を受信する。
【００４２】
災害・位置情報転送部３０５は、高度緊急地震速報受信解析装置１０５から受信した地震速報解析情報、または、携帯端末１０１ａ乃至１０１ｃおよび１０２ａから受信した位置情報および安否確認情報に基づいて、データベース１０７ａから該当のグループに属するメンバーの携帯端末を検索し、検索した携帯端末の電子メールアドレスを宛先として、上記地震速報解析情報、安否確認情報、および、携帯端末１０１ａ乃至１０１ｃおよび１０２ａから受信した現在位置情報をプッシュ通知および電子メール送信する。
【００４３】
主記憶部３０６は、センタ装置１０７が受信した情報、コンピュータ実行可能な命令および当該命令による演算処理後のデータ等を記憶する。
【００４４】
補助記憶部３０７は、センタ装置１０７が実行するのに必要なデータやプログラムを記憶している。
【００４５】
次に、図４を参照して、本発明の一実施形態に係る、グループデータ記憶部４００ａ、メンバーデータ記憶部４００ｂおよび携帯端末データ記憶部４００ｃの例を説明する。なお、図４で示すデータベーステーブルの構成は例示的なものにすぎず、このような構成に限定されないことに留意されたい。
【００４６】
グループデータ記憶部４００ａは、項目「グループＩＤ」、「グループパスワード」、「グループ管理者パスワード」を備える。項目「グループパスワード」および「グループ管理者パスワード」は、本記憶部のデータを更新する際の認証で使用される。本実施形態では、グループＩＤ「０００００１」がグループＡ（１０１）に対応し、グループＩＤ「０００００２」がグループＢ（１０２）に対応する。
【００４７】
メンバーデータ記憶部４００ｂは、項目「グループＩＤ」、「携帯端末ＩＤ」、「メンバー氏名」、「電子メールアドレス」、「位置通知可否」および「位置情報定期送信間隔」を備える。項目「携帯端末ＩＤ」は、個々の携帯端末を識別するための番号であり、ＩＭＳＩ（International Mobile Subscriber Identity）等の識別ＩＤまたは電話番号等であってもよい。本実施形態では、携帯端末ＩＤ「０９０１１１１２２２２」が携帯端末１０１ａに対応し、携帯端末ＩＤ「０９０２２２２３３３３」が携帯端末１０１ｂに対応し、携帯端末ＩＤ「０９０３３３３４４４４」が携帯端末１０１ｃに対応し、および、携帯端末ＩＤ「０９０４４４４５５５５」が携帯端末１０２ａに対応する。項目「位置通知可否」は、同一のグループに属する他のメンバーが安否確認情報を送信した場合に、自らの現在位置情報を他のメンバーに通知するか否かを判定するためのフラグとして使用され、「１」は通知可、「０」は通知不可を示す。例えば、グループＡに属する携帯端末１０１ａが、災害発生時に携帯端末１０１ｂおよび１０１ｃに安否確認情報を送信した場合を想定して説明する。携帯端末１０１ｂおよび１０１ｃの「位置通知可否」の値が「１（通知可）」であるので、センタ装置１０７は携帯端末１０１ａの安否確認情報の送信に応答して、携帯端末１０１ｂおよび１０１ｃの現在位置情報を取得し、グループＡの全携帯端末に、当該取得した携帯端末１０１ｂおよび１０１ｃの現在位置情報を送信する。項目「位置情報定期送信間隔」は、後述する携帯端末データ記憶部４００ｃに位置情報を更新する間隔（分）の値を示す。
【００４８】
携帯端末データ記憶部４００ｃは、項目「携帯端末ＩＤ」、「緯度・経度」、「住所」、「最新更新日時」、「安否確認」および「任意メッセージ」を備える。項目「緯度・経度」は、メンバーデータ記憶部４００ｂに含まれる項目「位置情報定期送信間隔」が示す時間間隔で、携帯端末１０１ａ乃至１０１ｃおよび１０２ａから受信した現在位置情報（緯度・経度）に基づいて、本項目の値を定期的に更新する。項目「住所」は、上述した「緯度・経度」に対応する住所であり、地図サーバ（図示せず）にアクセスして対応する住所を取得してもよく、または、データベース１０７ａに緯度・経度情報と住所情報とをマッピングするテーブルを持たせ、当該テーブルを検索して住所を取得してもよい。「最新更新日時」は、携帯端末データ記憶部４００ｃのレコードが更新された日時、すなわち、携帯端末から現在位置情報等を受信して更新した日時を示す。「安否確認」は、安否確認情報として他のメンバーに通知するための所定のメッセージに対応するコードを示す。図４の「安否確認」はコードが２桁の例を示す。例えば、本項目の１桁目の値は安否確認メッセージの概要を示し、例えば、「これから帰宅する」（１）、「約束した避難場所に行く」（２）等であってもよい。２桁目の値は本人状態を示し、例えば、「無事」（１）、「軽症」（２）および「重症」（３）等であってもよい。図４の例では、端末ＩＤ「０９０１１１１２２２２」が、安否確認メッセージとして、「これから帰宅する」（１桁目の値が「１」）、および、本人状態として「無事」（２桁目の値が「１」）を送信したことを示す。なお、このような安否確認メッセージは、定型メッセージとして、携帯端末１０１ａの表示部２０８に表示し、それらを選択できるように構成してもよい。また、定型メッセージを選択することに加えて、携帯端末１０１ａの表示部２０８に任意のメッセージ入力欄を設けて、安否確認メッセージに当該入力欄に入力されたメッセージを付加するような構成にしてもよい。この場合、図４で説明した携帯端末データ記憶部４００ｃの項目「任意メッセージ」に、入力されたメッセージが設定される。
【００４９】
次に、図５を参照して、本発明の一実施形態に係る、携帯端末１０１ａ乃至１０１ｃおよび１０２ａの携帯端末内メンバー位置記憶部２１０ｅに格納された携帯端末内メンバー位置データ記憶部５００の例を説明する。なお、図５で示すデータベーステーブルの構成は例示的なものにすぎず、このような構成に限定されないことに留意されたい。
【００５０】
携帯端末内メンバー位置データ記憶部５００は、項目「携帯端末ＩＤ」、「緯度・経度」、「住所」、「最新更新日時」、「メンバー氏名」を備える。これらのデータはセンタ装置１０７からグループを同じくするメンバー情報が定期的に送信され、携帯端末内メンバー位置データ記憶部５００に記憶・更新される。本実施形態では、携帯端末ＩＤ「０９０１１１１２２２２」が携帯端末１０１ａに対応し、携帯端末ＩＤ「０９０２２２２３３３３」が携帯端末１０１ｂに対応し、携帯端末ＩＤ「０９０３３３３４４４４」が携帯端末１０１ｃに対応し、全てグループＡ（１０１）に属している。携帯端末ａまたは携帯端末ｂおよび携帯端末ｃは、互いの「携帯端末ＩＤ」、「緯度・経度」、「住所」、「最新更新日時」、「メンバー氏名」がセンタ装置１０７から定期的に送信され、記録・更新を行う。
【００５１】
次に、図６のフローチャートを参照して、本発明の一実施形態に係る、安否確認システム１００が実行する一連の処理を説明する。
【００５２】
携帯端末１０１ａ乃至１０１ｃの設定情報入力部２０１は、利用者からのグループ情報およびメンバー情報の入力を受け付け、それら携帯端末の位置情報・設定情報定期送信部２０３は、受け付けた情報をセンタ装置１０７に送信する。センタ装置１０７のグループ・メンバー・位置情報管理部３０３は、携帯端末１０１ａ乃至１０１ｃから送信されたグループ情報およびメンバー情報を、データベース１０７ａのグループデータ記憶部４００ａおよびメンバーデータ記憶部４００ｂに登録する（Ｓ６０１）。グループ管理者パスワードを知るグループ管理者は、ＰＣ１０９ならびに携帯端末１０１ａ乃至１０１ｃからグループ情報・メンバー端末の定期送信を停止・再開することができる（Ｓ６０２）。携帯端末１０１ａ乃至１０１ｃの位置情報・設定情報定期送信部２０３は、ＧＰＳ１１２から定期的に現在位置情報（緯度・経度）を取得する（Ｓ６０３）。そして、位置情報・設定情報定期送信部２０３は、予め設定した定期送信時間（分）間隔毎にグループＩＤおよびグループパスワード等のグループ情報、携帯端末ＩＤ（または電話番号等の端末識別子）および電子メールアドレス等のメンバー情報とともに、上記取得した現在位置情報をセンタ装置１０７に送信する（Ｓ６０４）。センタ装置１０７のグループ・メンバー・位置情報管理部３０３は、Ｓ６０４で送信されたグループ情報、メンバー情報および位置情報を受信すると、それらの情報に基づいて、データベース１０７ａのグループデータ記憶部４００ａ、メンバーデータ記憶部４００ｂ、および、携帯端末データ記憶部４００ｃのそれぞれを更新する（Ｓ６０５）。上述したＳ６０４およびＳ６０５の処理は、予め設定された間隔で定期的に行われるので、データベース１０７ａのグループデータ記憶部４００ａ、メンバーデータ記憶部４００ｂ、および、携帯端末データ記憶部４００ｃのそれぞれは、常に最新の情報を維持することができる。
【００５３】
上述したＳ６０５によりメンバーデータ記憶部４００ｂおよび携帯端末データ記憶部４００ｃに更新された携帯端末１０１ａ乃至１０１ｃのメンバー情報および位置情報を、同一のグループメンバー情報としてまとめ、携帯端末１０１ａ乃至１０１ｃに送信する（Ｓ６０６）。携帯端末１０１ａ乃至１０１ｃの携帯端末内メンバー位置情報定期受信部２０４は、センタ装置１０７よりメンバー情報および位置情報を受信（Ｓ６０７）し、携帯端末内メンバー位置記憶部２１０ｅを常に最新に記憶・更新する（Ｓ６０８）。
【００５４】
このような状態で、地震等の災害が発生すると、高度緊急地震速報配信サーバ１０３は、地震速報を高度緊急地震速報受信解析装置１０５に送信する（Ｓ６０９）。高度緊急地震速報受信解析装置１０５は、受信した地震速報を基に、被災地として特定した災害エリア等の解析を行い、地震速報解析結果情報をセンタ装置１０７に送信する（Ｓ６１０）。センタ装置１０７において、地震速報解析情報受信部３０１が地震速報解析結果情報を受信すると、災害・位置情報転送部３０５が、携帯端末データ記憶部４００ｃを検索して、災害エリア内に属する携帯端末の携帯端末ＩＤを取得する（Ｓ６１１）。この検索は、例えば、上記受信した地震速報解析結果情報に含まれる災害エリアの位置情報（緯度・経度または住所）と、Ｓ６０５で更新された携帯端末データ記憶部４００ｃの位置情報（緯度・経度または住所）とを比較して、上記災害エリア内に存在する携帯端末のレコードが携帯端末データ記憶部４００ｃに存在するかを判定してもよい。そして、災害・位置情報転送部３０５は、Ｓ６１１で、上記災害エリア内に存在すると判定した携帯端末と同一のグループに属する他の携帯端末の携帯端末ＩＤを検索し、当該携帯端末ＩＤに対応する電子メールアドレス、現在位置情報（緯度・経度または住所）および最新更新日時等を取得する（Ｓ６１２）。この検索は、例えば、メンバーデータ記憶部４００ｂを検索して、災害エリアに存在する携帯端末と同一のグループＩＤを有する他の携帯端末ＩＤおよび電子メールアドレスを取得し、および、携帯端末データ記憶部４００ｃを検索して、当該他の携帯端末ＩＤに対応する現在位置情報および最新更新日時を取得するようにしてもよい。例として、携帯端末１０１ａのみが災害エリアに属する場合は、災害・位置情報転送部３０５は、携帯端末１０１ａと同一のグループＩＤを有する携帯端末１０１ａ乃至携帯端末１０１ｃの携帯端末ＩＤおよび電子メールアドレスをメンバーデータ記憶部４００ｂから取得する。そして、上記取得した携帯端末１０１ａ乃至携帯端末１０１ｃの携帯端末ＩＤに対応する現在位置情報および最新更新日時を携帯端末データ記憶部４００ｃから取得する。そして、災害・位置情報転送部３０５は、Ｓ６１１で受信した地震速報解析結果情報を携帯端末１０１ａ乃至１０１ｃにプッシュ送信し（Ｓ６１３）する。携帯端末１０１ａ乃至１０１ｃの地震速報解析情報・安否確認情報受信部２０７で受信し、当該受信に応答して、携帯端末内メンバー位置記憶部２１０ｅに記憶されたメンバー情報および位置情報と、Ｓ６１１で受信した地震速報解析結果情報とを、表示部２０８に表示する（Ｓ６１４）と共に、Ｓ６１２で取得した携帯端末１０１ａ乃至携帯端末１０１ｃの現在位置情報および最新更新日時とを電子メールで編集して、携帯端末１０１ａ乃至１０１ｃの電子メールアドレスを宛先として、上記編集した電子メールを送信する（Ｓ６１５）。プッシュ送信は地震速報解析結果情報のみを送信するため、パケット容量が少なく、電子メールよりも早く到着し、メンバー位置情報は携帯端末１０１ａ乃至１０１ｃの携帯端末内メンバー位置記憶部２１０ｅに記憶されたメンバー情報および位置情報を表示することによって、高度利用者向けの緊急地震速報 （予報）が発表された際に素早く災害情報とメンバーの位置情報を確認できる。電子メール送信（Ｓ６１５）は、プッシュ送信に対応していない携帯端末にもメンバー位置情報を送信するため、並行して送信しているが、プッシュ送信よりも受信が遅くなる。
【００５５】
なお、本実施形態では、災害エリアに存在する携帯端末を特定し、当該携帯端末と同一のグループに属するメンバーの携帯端末に、現在位置情報等を含む情報を送信する例を示しているが、そのような例に限定されない。例えば、高度緊急地震速報受信解析装置１０５から地震速報解析結果情報を受信すると、災害エリアに属するか否かの判定を行わずに、同一グループに属する全メンバーの携帯端末の現在位置情報を、当該全メンバーの携帯端末に送信するような構成にしてもよい。
【００５６】
次に、図７を参照して、本発明の一実施形態に係る、安否確認システム１００が実行する一連の処理を時系列に説明する。
【００５７】
図７の処理が示すように、携帯端末１０１ａ乃至１０１ｃおよび１０２ａの位置情報・設定情報定期送信部２０３が、定期的にセンタ装置１０７にグループ情報、メンバー情報および現在位置情報を送信する（Ｓ７０１）。センタ装置１０７のグループ・メンバー・位置情報管理部３０３は、Ｓ７０１で送信されたグループ情報、メンバー情報および現在位置情報を受信し、当該情報に基づいて、データベース１０７ａのグループデータ記憶部４００ａ、メンバーデータ記憶部４００ｂおよび携帯端末データ記憶部４００ｃを常に最新に更新し続けている（Ｓ７０３）。また、センタ装置１０７は、メンバーデータ記憶部４００ｂおよび携帯端末データ記憶部４００ｃで更新された最新のメンバー情報および位置情報をグループ単位にまとめて、携帯端末１０１ａ乃至１０１ｃおよび１０２ａが属するグループと同一の全メンバーのメンバー情報および位置情報を定期送信し、携帯端末内メンバー位置記憶部２１０ｅも常に最新に記憶・更新させている（Ｓ７０２）。高度緊急地震速報配信サーバ１０３は、例えば、東京都で地震速報が発表されると、地震速報を高度緊急地震速報受信解析装置１０５に送信する（Ｓ７０４）。高度緊急地震速報受信解析装置１０５は、Ｓ７０４で送信された地震速報を受信・解析し（例えば、東京都港区を災害エリアとして特定）、地震速報解析結果情報をセンタ装置１０７に送信する（Ｓ７０５）。センタ装置１０７の災害・位置情報転送部３０５は、データベース１０７ａの携帯端末データ記憶部４００ｃを検索して、現在位置情報（緯度・経度または住所）が東京都港区内にある携帯端末（例えば、携帯端末１０１ａ）を特定する（Ｓ７０６）。そして、災害・位置情報転送部３０５は、メンバーデータ記憶部４００ｂを検索して、携帯端末１０１ａと同一グループに属している携帯端末（例えば、携帯端末１０１ｂおよび１０１ｃ）を取得し、携帯端末１０１ａ乃至１０１ｃの携帯端末ＩＤに基づいて、メンバーデータ記憶部４００ｂおよび携帯端末データ記憶部４００ｃから電子メールアドレス、現在位置情報および最新更新日時を取得する（Ｓ７０７）。そして、災害・位置情報転送部３０５は、地震速報解析結果情報を携帯端末１０１ａと同一グループに属している携帯端末（例えば、携帯端末１０１ｂおよび１０１ｃおよび１０１ａ）にプッシュ送信し、携帯端末内メンバー位置記憶部２１０ｅに記憶・更新されたメンバー情報・位置情報および地震速報解析結果情報を表示部２０８に表示させる（Ｓ７０８）と共に、Ｓ７０７で取得した携帯端末１０１ａ乃至１０１ｃの現在位置情報および最新更新日時とを電子メールで編集して、携帯端末１０１ａ乃至１０１ｃの電子メールアドレスを宛先として、編集した電子メールを送信する（Ｓ７０９）。このような構成とすることで、震災が発生したことによって、災害地周辺の通信インフラが停止する前に、同一のグループＩＤを有する携帯端末全てに最新の位置情報を共有・表示できるので、同一のグループＩＤを有する携帯端末全ての現在位置を把握することが可能になる。
【００５８】
上記携帯端末１０１ａが表示した地震速報解析結果情報および同一グループに属する携帯端末１０１ｂおよび１０１ｃの位置情報を携帯端末画面に表示した例を図１０に示している。
【００５９】
グループＡに属する携帯端末１０１ａの「ヤマダ  タロウ」は東京都に位置し、同じくグループＡに属する携帯端末１０１ｂの「サトウ  イチロウ」は大阪府に位置し、同じくグループＡに属する携帯端末１０１ｃの「タナカ  ジロウ」は東京都に位置している時、大阪府において、一定の震度を超えた地震速報解析結果情報を受信すると、地震速報解析結果情報と共に、グループＡに属する携帯端末１０１ａと携帯端末１０１ｂと携帯端末１０１ｃの携帯端末内メンバー位置記憶部に記憶・更新された最新の位置情報が、携帯端末１０１ａと携帯端末１０１ｂと携帯端末１０１ｃの位置情報を携帯端末画面に表示されている。
【００６０】
次に、図８のフローチャートを参照して、本発明の別の実施形態に係る、安否確認システム１００が実行する一連の処理を説明する。
【００６１】
図８に示すフローチャートのうちの、Ｓ８０１乃至Ｓ８１５は、図６で説明したフローチャートのＳ６０１乃至Ｓ６１５にそれぞれ対応するので、ここでの説明は省略する。本実施形態では、携帯端末１０１ａが、災害エリアに存在するものとする。携帯端末１０１ａの安否確認情報入力部２０５は、利用者から安否確認情報を受け付ける。この安否確認情報の入力および受付けは、災害発生時のみならず、任意のタイミングで行われてもよい。安否確認情報は、上述したように、携帯端末１０１ａの表示部２０８に表示された定型メッセージを選択し、選択されたメッセージに対応するコードと、入力した任意メッセージを含む。そして、安否確認情報入力部２０５は、受け付けた安否確認情報をセンタ装置１０７に送信する（Ｓ８１６）。センタ装置１０７において、安否確認情報受信部３０４が安否確認情報を受信すると、グループ・メンバー・位置情報管理部３０３は、データベース１０７ａの携帯端末データ記憶部４００ｃおよびメンバーデータ記憶部４００ｂから、携帯端末１０１ａの現在位置情報（緯度・経度または住所）、最新更新日時および電子メールアドレスとともに、携帯端末１０１ａと同一のグループ（グループＡ）に属している携帯端末１０１ｂおよび携帯端末１０１ｃの現在位置情報（緯度・経度または住所）、最新更新日時およびメールアドレスを取得する（Ｓ８１２）する。センタ装置１０７の災害・位置情報転送部３０５は、安否確認情報と、取得した携帯端末１０１ａ乃至１０１ｃの位置情報および最新更新日時とを電子メールで編集して、携帯端末１０１ａ乃至１０１ｃの電子メールアドレスを宛先として、編集した電子メールを送信する（Ｓ８１８）。
【００６２】
上記編集した電子メールの例を図９に示す。図９は、携帯端末１０１ａが、災害エリアにあり、同一グループに属する携帯端末１０１ｂおよび１０１ｃに安否確認メッセージを送信する例を示している。
【００６３】
携帯端末１０１ａの「ヤマダ  タロウ」は、携帯端末１０１ｂの「サトウ  イチロウ」および携帯端末１０１ｃの「タナカ  ジロウ」を宛先とする安否確認情報をセンタ装置１０７へ送信する。それに対して、センタ装置１０７の災害・位置情報転送部３０５は携帯端末１０１ａのグループＡに属するすべての携帯端末の現在位置情報（住所）および最新更新日時を取得して、安否確認情報とともにそれらの現在位置情報および最新更新日時を電子メールで編集して、編集した電子メールをメンバー全員に送信する。図９に示すように、安否確認メッセージには、現在位置情報に加えて、既知の地図サーバにアクセスして、現在位置を表示することができるＵＲＬを含んでもよく、または、現在位置に対応する地図の画像を含んでもよい。
【符号の説明】
【００６４】
１００  安否確認システム
１０１ａ  携帯端末
１０１ｂ  携帯端末
１０１ｃ  携帯端末
１０２ａ  携帯端末
１０４  ネットワーク
１０６  データセンタ
１０８  ネットワーク
１１０  ネットワーク
２０２  システムバス
３０２  システムバス
【要約】
【課題】災害予報とともに携帯端末利用者のグループに属する全携帯端末の位置情報を配信する安否確認システムを提供する。
【解決手段】第１および第２の携帯端末から、周期的に第１および第２の位置情報を受信する位置情報受信部と、第１および第２の携帯端末に、周期的に第１および第２の位置情報を送信する位置情報送信部と、地震速報配信サーバから、災害情報を受信する災害情報受信部と、受信した災害情報に応答して、受信した災害情報に含まれる災害位置情報と受信した第１の位置情報とを比較して、第１の携帯端末が、災害位置情報が示すエリア内に存在するかを判定する端末位置確認部と、端末位置確認部が、第１の携帯端末がエリア内に存在すると判定した場合、第１および第２の携帯端末に、受信した災害情報を送信する災害情報送信部とを備えたことを特徴とする。
【選択図】図６【図１】
0005548814.tif 000002
【図２】
0005548814.tif 000003
【図３】
0005548814.tif 000004
【図４】
0005548814.tif 000005
【図５】
0005548814.tif 000006
【図６】
0005548814.tif 000007
【図７】
0005548814.tif 000008
【図８】
0005548814.tif 000009
【図９】
0005548814.tif 000010
【図１０】
0005548814.tif 000011